(57)【要約】【課題】足裏にできたタコ（たこ）、ウオノメ（うおのめ、魚の目）などの腫れ物や、切り傷などにより、履物装着時および歩行時に痛みが生じてしまう。【解決手段】足裏接面部材１に着脱可能ユニット２を設けることにより、患部６ａを圧迫する心配がなく殆ど傷みを感ずることなく、快適に立ち上がったり、歩行し、スムーズな日常生活を送ることが可能となる。また、治療中の痛みも和らげ完治を助け、再発も防止可能である。更に、着脱可能ユニット２は、腫れ物や切り傷が治癒した場合は、元の位置に戻して、通常の履物や中敷と同様に使用可能であり、また、腫れ物や切り傷の位置が変わっても、以前の場所の着脱可能ユニット２は足裏接面部材１へ戻し、新たな患部６ａに応じて別の場所の着脱可能ユニット２’を取り外すことで、再使用が可能であり、繰り返し使用可能である。【選択図】図３
2005073981.tif 000002
【特許請求の範囲】
【請求項１】
足裏面と接する部材が部分的に着脱可能であることを特徴とする履物。
【請求項２】
当該着脱可能部分の形状が、多角形であることを特徴とする請求項１記載の履物。
【請求項３】
当該多角形が、六角形であることを特徴とする請求項２記載の履物。
【請求項４】
当該着脱可能部分の形状が、流線型であることを特徴とする請求項１記載の履物。
【請求項５】
当該流線型が、円または楕円であることを特徴とする請求項４記載の履物。
【請求項６】
当該着脱可能部分の厚みが、１ｍｍ〜１５０ｍｍであることを特徴とする請求項１記載の履物。
【請求項７】
当該着脱可能部分の材質が、天然または合成ゴム、天然または合成繊維、天然または合成皮革、合成樹脂、プラスチック、竹、板および布のいずれかを少なくともひとつを含むことを特徴とする請求項１記載の履物。
【請求項８】
当該足裏面と接する部材は切り込みを有し、当該着脱可能部分の少なくとも一部が、当該部材から離脱可能であることを特徴とする請求項１記載の履物。
【請求項９】
当該着脱可能部分の少なくとも一部は、当該足裏面と接する部材と一体的に繋がっていることを特徴とする請求項１記載の履物。
【請求項１０】
当該着脱可能部分と当該足裏面と接する部材との間に、マジックテープ、磁石、静電気、摩擦、および複数回着脱可能な接着剤の少なくともひとつを介することを特徴とする請求項１記載の履物。
【請求項１１】
当該足裏面と接する部材の下に、接地のための靴底層を有することを特徴とする請求項１記載の履物。
【請求項１２】
当該履物がサンダルであることを特徴とする請求項１記載の履物。
【請求項１３】
当該サンダルが足の親指固定部材を有することを特徴とする請求項１２記載の履物。
【請求項１４】
当該足の親指固定部材がベルト状であることを特徴とする請求項１３記載の履物。
【請求項１５】
当該サンダルは足の甲支持部材を有し、当該足の甲支持部材が、少なくとも２つに離脱可能とする手段を有することを特徴とする請求項１２記載の履物。
【請求項１６】
当該離脱可能手段が、マジックテープ、ホックまたはベルトのいずれかひとつであることを特徴とする請求項１５記載の履物。
【請求項１７】
足裏面と接する部材が部分的に着脱可能であることを特徴とする履物用中敷。
【請求項１８】
当該着脱可能部分の形状が、多角形であることを特徴とする請求項１７記載の履物用中敷。
【請求項１９】
当該多角形が、六角形であることを特徴とする請求項１８記載の履物用中敷。
【請求項２０】
当該着脱可能部分の形状が、流線型であることを特徴とする請求項１７記載の履物用中敷。
【請求項２１】
当該流線型が、円または楕円であることを特徴とする請求項２０に記載の履物用中敷。
【請求項２２】
当該着脱可能部分の厚みが、３ｍｍ〜５ｍｍであることを特徴とする請求項１７記載の履物用中敷。
【請求項２３】
当該着脱可能部分の材質が、天然または合成ゴム、天然または合成繊維、天然または合成皮革、合成樹脂、プラスチック、竹、板および布のいずれかを少なくともひとつを含むことを特徴とする請求項１７記載の履物用中敷。
【請求項２４】
当該足裏面と接する部材は切り込みを有し、当該着脱可能部分の少なくとも一部が、当該部材から離脱していることを特徴とする請求項１７記載の履物用中敷。
【請求項２５】
当該着脱可能部分の少なくとも一部は、当該足裏面と接する部材と一体的に繋がっていることを特徴とする請求項１７記載の履物用中敷。
【請求項２６】
当該着脱可能部分と当該足裏面と接する部材との間に、マジックテープ、磁石、静電気、摩擦、および複数回着脱可能な接着剤の少なくともひとつを介することを特徴とする請求項１７記載の履物用中敷。
【発明の詳細な説明】
【技術分野】
【０００１】
本発明は、履物および履物用中敷に係り、特に足裏にできたタコ、ウオノメなどの腫れ物または切り傷などによる履物装着時および歩行時の痛みを、腫れ物等の形状／大きさ等に拘わらず緩和可能な履物および履物用中敷に関する。
【背景技術】
【０００２】
足裏にタコ、ウオノメなどの腫れ物や、切り傷などができた場合、それらが圧迫されることによる痛みのため、歩行どころか立ち上がることさえ困難を極めることが多々ある。履物を装着することも同様、足裏を圧迫するので、非常に耐えがたい苦痛に襲われる。
【０００３】
腫れ物や傷の部分が圧迫されるのを緩和するよう、腫れ物部の外側に貼付する弾力性のある輪形状のパットが市販されている。また、靴の中敷には、弾力性を持たせて、足に加わる衝撃を緩和するもの等がある。
【０００４】
しかしながら、人によって、腫れ物／傷の形状や大きさはまちまちであり、パットはいつでも誰にでも適用可能なものとはいえない。また、足裏の場合、パットの部分が床面に接することになり、異物感が強く、歩きにくい。更に、履物を装着する場合はパットの厚みだけ窮屈になり、履物を装着しづらいばかりか、せっかくパットに弾力性があってもその機能を発揮しにくい環境になってしまう。
【０００５】
中敷が弾力性を有したとしても、歩行時には体重移動が必要であり、体重移動時にはどうしても腫れ物や傷の部分に負担がかかってしまうものである。特開平８−８９３０８号公報には、この体重移動のメカニズムを観察して、足に大きな負担がかかり、結果たとえば足の小指の周辺にウオノメができることを防止すべく、足裏の外側の縁で敷かれる部分が厚く、この部分から離れる程、薄くなる靴の中敷が提案されているが、足裏に既にできたウオノメ、タコなどの腫れ物や傷の痛みを緩和する中敷についての開示は見当たらない。また、足にできる腫れ物の箇所は様々であり、かかる位置的な可変性に適切に対応するものもなかった。
【０００６】
【特許文献１】特開平８−８９３０８号公報
【発明の開示】
【発明が解決しようとする課題】
【０００７】
解決しようとする問題点は、足裏にできたタコ（たこ）、ウオノメ（うおのめ、魚の目）などの腫れ物や、切り傷などにより、履物装着時および歩行時に痛みが生じてしまう点である。また、腫れ物や切り傷などを圧迫することは、これらの治療を長引かせ、完治を妨げ、場合によっては再発を誘引することにもなる。
【０００８】
上述のように、これらの問題に適応的に対処し得る技術はこれまでなかった。本発明は、この点を解決すべく、足裏等の腫れ物による痛みを比較的感じさせることなく歩行可能にする技術を提供することを目的とする。
【課題を解決するための手段】
【０００９】
かかる目的を達成するために、本発明は、足裏面と接する部材に、適応的な大きさをもつ着脱可能部分を設ける。これにより、足裏にできたタコ、ウオノメなどの腫れ物または切り傷などによる、履物装着時および歩行時の痛みを緩和し、治療中の痛みも和らげ完治を助け、また再発を防止可能な履物および履物用中敷を提供することを主要な特徴とする。
【発明の効果】
【００１０】
本発明の履物および履物用中敷は、履物装着時および歩行時に、足裏にできたタコ、ウオノメなどの腫れ物または切り傷などを圧迫しないため、殆ど痛みを感ずることなく、快適に立ち上がったり、歩行することが可能になり、スムーズな日常生活を送ることに貢献する、という利点がある。また、治療中の痛みも和らげ完治を助け、再発も防止可能である。更に、着脱可能な部材を使用することから、腫れ物や切り傷の位置が変わっても、それに応じて対処が可能であり、繰り返し使用可能な、経済的かつ環境に優しい履物および履物用中敷を提供することにもなる。
【発明を実施するための最良の形態】
【００１１】
履物は、単層又は複数層を有する接地面層と、かかる接地面層の上部に密着若しくは非接着的に積載されて履き主の足の裏面と直接接する中敷層（以下、「足裏接面部材」という。）とを備えて構成されている。この接地面層と足裏接面部材とは独立分離していても一体形成されていてもよい。また、足裏接面部材は、それ自体単体で、履物用中敷として別個の製品として実現することも可能である。
【００１２】
本発明は、履物装着時および歩行時に、足裏にできたタコ、ウオノメなどの腫れ物または切り傷などを圧迫しないという目的を、足裏面と接する中敷層である足裏接面部材を部分的に着脱可能とすることで実現する。
【００１３】
足裏接面部材は、履物の一部であっても構わないし、履物に敷く中敷であっても構わない。かかる足裏接面部材は、平面的にみて、例えば六角形平面の多数のユニットの集合として構成される中央部分と、該中央部分を囲むようにして一体的に形成された周縁部とを有して構成される。この中央部分を構成する多数ユニットの各々が該ユニット単位で着脱可能に形成される。以下、このユニットを「着脱可能ユニット」ともいう。
【００１４】
「着脱可能」とは、取り外しが可能であると同時に、もとへ戻すことも可能であることを意味する。この場合、「もとへ戻す」というのは、未使用と完全に同じ状態に戻すことのみならず、履き主の体重を支える、体重を支えつつ一定速度をもった履き主の移動を可能にする、という履物や中敷の足裏面と接する部材の機能として未使用時と遜色ない程度の状態に復旧させるという意味も含む概念である。
【００１５】
着脱可能ユニットの平面的形状は、多角形または流線型であることが望ましいが、もとよりこれらに限定されるものではない。該ユニットの平面形状が多角形の場合に、該多角形は、三角形、四角形、五角形、六角形、七角形、八角形または九角形であることが好ましく、更に好適には六角形または八角形、特に六角形であることが望ましい。該ユニットの平面形状が流線型を含む非角形である場合に、該非角形は、円形、楕円形またはジグゾーパズル形或いはパズル形若しくはこれらに類する形状の少なくとも一つであることが望ましい。着脱可能ユニットの平面的形状が六角形の場合は、１辺の長さが２〜３０ｍｍ程度が望ましいが、より好適には６〜７ｍｍ程度が望ましい。他の形状の場合にも、多角形の一辺の長さ、或いは一方向からの見付け長さが２〜３０ｍｍ程度が望ましいが、より好適には６〜７ｍｍ程度が望ましい。
【００１６】
着脱可能ユニットを含む足裏接面部材の断面的な厚みは、１ｍｍ〜１５０ｍｍが望ましく、特に中敷の場合は、１〜４０ｍｍ程度が望ましいが、より好適には３ｍｍ〜５ｍｍが望ましい。包帯や絆創膏などをしていても、着脱可能ユニットをそのユニット（部位）を含む近辺の単数又は複数のユニットのみとり外すことで、その部位に接する可能性のあった履き主の腫れ物部が圧迫されないようにするものであり、着脱可能ユニットの厚みはその目的を達成できるよう設定される。
【００１７】
着脱可能ユニットの材質は、足裏接面部材のその他の部分の材質と同じであってもよく、天然または合成ゴム、天然または合成繊維、天然または合成皮革、合成樹脂、プラスチック、竹、板および布のいずれかのうち少なくともひとつを含んで形成してよい。
【００１８】
着脱可能ユニットの下面と接地面層の上面との間、及び／または、着脱可能ユニットの側面間、及び／または、足裏接面部材の下面の全面若しくは一部面と接地面層の上面との間に、マジックテープ、磁石、静電気、摩擦、および複数回着脱可能な接着剤などを介して、着脱可能とすることも可能である。また、足裏接面部材に切り込みを入れて、着脱可能ユニットの少なくとも一部が足裏接面部材から離脱している、または、着脱可能ユニットの少なくとも一部が足裏接面部材と一体的に繋がっているようにし、所望の部分を切り離す、または引っ張ることによって取り外し可能としても構わない。取り外しをすることで、足裏接面部材とは一体的に繋がらなくなるが、たとえば着脱可能ユニットと足裏接面部材の材質を発泡ウレタンのような合成樹脂とすることで、取り外された着脱可能ユニットをまたはめ込み、まるで足裏接面部材と一体であったかのように使用することもできる。
【００１９】
また、足裏接面部材と接地面層との間に、靴底層を有してもよい。足裏接面部材と靴底層と接地面層とは、それぞれ、同じ材質であっても構わないし、違う材質であっても構わない。それぞれの機能に応じた材質を選択することが望ましい。
【００２０】
履物がサンダルの場合、腫れ物や傷の位置、大きさ、形状に合わせてもっとも自在に着脱可能部分を取り外しまたははめ込みができる。履物がサンダルでなくても、履物の上部が取り外し可能であれば、自在に所望どおり着脱可能部分を取り外しまたははめ込みができるため、更に本発明の効果を遺憾なく発揮することが可能となる。
【００２１】
サンダルの場合、装着時に足を固定できるよう、足の甲支持部材ならびに足の親指固定部材を有することが望ましい。足の親指固定部材はベルト状であることが好ましい。また、足の甲支持部材は、少なくとも２つに離脱可能とする手段を有することが望ましく、離脱手段を有することで、足が開放され、サンダルの装着／脱着が容易になる。離脱手段は、マジックテープ、ホック、ひも、ゴムまたはベルトのいずれかひとつであることが望ましいが、これらに限定されるものでなく、同じ機能を果たすいかなる手段によって代替させてもよい。足の甲支持部材は、帯状、たすき状または鼻緒状など、足が固定できるような形状であればどのようなものであっても構わない。
【実施例１】
【００２２】
図１は、本発明に係るサンダルの分解斜視図である。足裏接面部材１には、足裏が接する範囲とほぼ等しい範囲で着脱可能ユニット２が複数設けられている。また装着時の足固定手段として、足の甲支持部材３ならびに足の親指固定部材４が設けられている。更に、足裏接面部材１の下には、靴底層５がある。
【００２３】
図２では、着脱可能ユニット２の形状が六角形で、各頂点付近で互いに隣り合う六角形と繋がり、引っ張ると所望の部分が取り外し可能となるように足裏接面部材１に切り込み２ａが入っている様子が示されている。
【００２４】
図３には、本発明に係るサンダルの装着例が示されている。足裏接面部材１より患部６ａに合わせて着脱可能ユニット２が取り外されていて、患部６ａが圧迫される心配が殆どない。
【実施例２】
【００２５】
図４は、本発明に係る中敷７の装着例が示されている。予め、足裏接面部材１より患部６ａに合わせて着脱可能ユニット２を取り外し、履物に敷く。こうすることで、患部６ａが圧迫される心配が殆どない。
【００２６】
以上、足裏接面部材１が着脱可能ユニット２を有することにより、患部６ａを圧迫する心配がなく殆ど傷みを感ずることなく、快適に立ち上がったり、歩行することが可能になり、スムーズな日常生活を送ることが可能となる。また、治療中の痛みも和らげ完治を助け、再発も防止可能である。更に、着脱可能ユニット２は、腫れ物や切り傷が治癒した場合は、元の位置に戻して、通常の履物や中敷と同様に使用可能であり、また、腫れ物や切り傷の位置が変わっても、以前の場所の着脱可能ユニット２は足裏接面部材１へ戻し、新たな患部６ａに応じて別の場所の着脱可能ユニット２’を取り外すことで、再使用が可能であり、繰り返し使用可能な、経済的かつ環境に優しい履物および履物用中敷を提供することにもなる。
【００２７】
本発明の多くの特徴および利点は明細書の詳細な説明から明白である。更に、当該技術分野における通常の知識を有する者にとって修正および改変が容易に数多くなし得るので、図示および記述されたものと寸分違わぬ構成および動作に本発明を限定することは望ましくないことであり、従って、あらゆる適切な改変体および等価体は本発明の範囲に含まれるものと見なされうる。前述の本発明に係る実施形態の説明および例示によって詳細に記述されたが、特許請求の範囲のみならず本発明に係る開示事項全体に定義された本発明の範囲から逸脱することなしに、修正、置換、および、変更が数多く可能である。
【００２８】
また、本願に係る発明は、その適用において、上記の記述において説明されるか、或いは、図面に示された要素の詳細な解釈及び組み合わせに限定されるものではない。本発明は、他の実施形態が可能であり、種々の方法で実用および実施可能である。また、ここで用いられた語法および用語は記述を目的とするものであり、限定的に働くものとみなされてはならない。
【００２９】
従って、当該技術分野における通常の知識を有する者は、本開示の基調となる概念は、本発明の幾つかの目的を実施するための他の構造及び方法を設計するための基礎として容易に利用され得るものである。従って、本発明の趣旨および範囲から逸脱しない限り、本願の特許請求の範囲にはそのような等価な解釈が含まれるものと見なされるものである。
【００３０】
また、上記では足裏接面部材１に切り込みを入れる技術思想について説明したが、かかる切り込みは平面的であっても立体的であってもよい。また、切り込みを例にとって説明した本願に係る技術思想は、予め一体的に製造された足裏接面部材に事後的に切り込みを入れる、というプロダクト・バイ・プロセス的に限定されてはならず、例えば、ユニットを予め製造して事後的に該ユニット同士を一部若しくは全部を相互に接着或いは接続等するプロセスによる製造物であっても本発明に係る技術思想に包含される。さらには、本願に係る技術思想は、タコ、ウオノメ等の腫れ物や切り傷等の何らかの障害のある場合のみならず、健康増進器具、学術目的実験器具、一般の履きもの（つまり、障害が特にない場合であっても、足裏の一部を「抜く」ことで爽快感等を与えることを目的とした履物）等としても、実現、利用可能であることはいうまでもない。
【００３１】
さらに本発明は、履物及び中敷に限らず、足裏に接面する可能性のある機材一般として、例えば、足裏マッサージ器具の一部として、或いは、足裏あてとしても、さらには、これらと上記で説明した履物／中敷と組み合わせたものとしても、実現することが可能である。
【００３２】
また本願発明は、その技術思想の同一及び等価に及ぶ範囲において様々な変形、追加、置換、拡大、縮小等を許容するものである。また、本願発明を用いて生産される履物及び中敷、或いはその代替物が、その２次的生産品に登載されて商品化された場合であっても、本願発明の価値は何ら減ずるものではない。
【図面の簡単な説明】
【００３３】
【図１】本発明に係るサンダルの分解斜視図である。（実施例１）
【図２】着脱可能部分の切り込みを説明する図である。（実施例１）
【図３】本発明に係るサンダルの装着例の断面図である。（実施例１）
【図４】本発明に係る中敷の装着例の断面図である。（実施例２）
【符号の説明】
【００３４】
１    足裏面と接する部材
２    着脱可能部分
２ａ  切り込み
３    足の甲支持部材
４    足の親指固定部材
５    靴底層
６    足
６ａ  患部
７    中敷
【図１】
2005073981.tif 000003
【図２】
2005073981.tif 000004
【図３】
2005073981.tif 000005
【図４】
2005073981.tif 000006